(57)【要約】【課題】  ソフトウェアにより動作する保護リレー装置において、ソフトウェアのロード作業を効率化することができるようにする。【解決手段】  複数のリレーソフトウェアのうちの一つを記憶するリレーソフトウェア記憶手段１６２とこの記憶されたリレーソフトウェアに基づいて保護継電動作を行う中央処理装置１６１と記憶されたリレーソフトウェアの識別値を記憶する識別値記憶手段１６５とを有するリレーＣＰＵカード１６、及び上記複数のリレーソフトウェアにそれぞれ対応する全ての画面ソフトウェアを記憶する画面ソフトウェア記憶手段１４５と上記識別値に応じて上記記憶された画面ソフトウェアのうちの一つを選んで当該画面ソフトウェアに従って画面表示の制御を行う画面切換手段１４１とを備えた。リレーソフトウェアの入れ換えの都度、画面ソフトウェアをロードし直さなくてもよいので、ロード作業を効率化できる。【選択図】        図１
2005045907.tif 000002
【特許請求の範囲】
【請求項１】
複数のリレーソフトウェアのうちの一つから他の一つに入れ換えて記憶しうるようにされたリレーソフトウェア記憶手段と上記リレーソフトウェア記憶手段に記憶された上記リレーソフトウェアに基づいて保護継電動作を行う中央処理装置とを有する保護継電装置本体、及び上記保護継電装置本体に関する情報の表示を実行するためのものであって上記リレーソフトウェアにそれぞれ対応する画面ソフトウェアを記憶する画面ソフトウェア記憶手段と上記リレーソフトウェア記憶手段に記憶された上記リレーソフトウェアに応じて上記画面ソフトウェア記憶手段に記憶された上記画面ソフトウェアのうちの一を選んで当該選んだ画面ソフトウェアに従って画面表示の制御を行う画面表示制御手段とを有する画面表示制御装置を備えた保護リレー装置。
【請求項２】
上記画面ソフトウェアは一つの上記リレーソフトウェアに対して複数設けられたものであり、上記画面表示制御手段は外部から指令を受けて一つの上記リレーソフトウェアに対して複数設けられた上記画面ソフトウェアのうちの一つを選択し上記選択された画面ソフトウェアに従って上記画面表示の制御を行うものであることを特徴とする請求項１に記載の保護リレー装置。
【請求項３】
上記外部信号は、上記画面表示制御手段により画面表示を制御される画面表示装置から発信されるものであることを特徴とする請求項２に記載の保護リレー装置。
【発明の詳細な説明】
【技術分野】
【０００１】
この発明は、電力系統等の保護に用いられる保護リレー装置に関するものである。
【背景技術】
【０００２】
従来の保護リレー装置において、保護リレー装置の機種を変更する場合、ハードウェア構成は変更しないでソフトウェアを変更することにより機種を変更するものがある（非特許文献１）。また、画面表示にかかわるようなリレーソフトウェアの機能変更が発生した場合も、リレーソフトウェアと画面ソフトウェアの両方をロードすることにより機能変更を実現している。
【０００３】
例えば、保護リレー装置を機種Ａから機種Ｂに変更する場合、まず保護リレー装置に組み込まれたリレーＣＰＵカード（現在機種Ａのリレーソフトウェアがロードされているとする）に機種Ｂのリレーソフトウェアをロードする。次に、同様に組み込まれた画面用カードにロードされている機種Ａ用の画面ソフトウェアを機種Ｂ用の画面ソフトウェアに入れ換える。そして、汎用ブラウザが搭載されたパーソナルコンピュータをネットワークを経由して画面用カードに接続すると、画面用カードとリレーＣＰＵカードが通信を開始し、リレーＣＰＵカードの内部表示情報をパーソナルコンピュータに送信し、表示する。
【０００４】
【非特許文献１】北村祐史他「ソフトウェア書き込み方式を適用したディジタルリレーの開発」  平成１５年電気学会全国大会報告（速報版）  第１頁左欄の下から第３行目〜右欄第４行  電気学会、講演番号６−２６６  平成１５年３月１５日
【発明の開示】
【発明が解決しようとする課題】
【０００５】
従来の保護リレー装置は以上のように構成されているので、機種を変更するときにリレーソフトウェアと画面ソフトウェアの両方を必ずロードする必要がある。また、正しく画面を表示するために、リレーソフトウェアと画面ソフトウェアは同一機種であることを確認してからロードする必要がある。さらに、リレーソフトウェアの機能拡張や機能変更を行うとき、その機能拡張や機能変更が画面表示に関係している場合は、変更するリレーソフトウェアと画面ソフトウェアの両方を必ずロードする必要がある。
【０００６】
このために、保護リレー装置の機種やそのリレーソフトウェアを変更する場合に、関連するソフトウェアのロード作業に手数を要し繁雑であった。また、変更するリレーソフトウェアに応じた画面ソフトウェアに入れ換えるのを忘れるおそれもあった。
この発明は上記のような問題点を解決するためになされたものであり、ソフトウェアにより動作する保護リレー装置において、例えば機種を変更するときに発生する、ソフトウェアのロード作業を効率化することができ、またソフトウェアのロードミスを防止できる保護リレー装置を得ることを目的とする。
【課題を解決するための手段】
【０００７】
この発明に係る保護リレー装置は、複数のリレーソフトウェアのうちの一つから他の一つに入れ換えて記憶しうるようにされたリレーソフトウェア記憶手段とリレーソフトウェア記憶手段に記憶されたリレーソフトウェアに基づいて保護継電動作を行う中央処理装置とを有する保護継電装置本体、及び保護継電装置本体に関する情報の表示を実行するためのものであってリレーソフトウェアにそれぞれ対応する画面ソフトウェアを記憶する画面ソフトウェア記憶手段とリレーソフトウェア記憶手段に記憶されたリレーソフトウェアに応じて画面ソフトウェア記憶手段に記憶された画面ソフトウェアのうちの一を選んで当該選んだ画面ソフトウェアに従って画面表示の制御を行う画面表示制御手段と有する画面表示制御装置を備えたものである。
【発明の効果】
【０００８】
この発明は以上説明したように、複数のリレーソフトウェアのうちの一つから他の一つに入れ換えて記憶しうるようにされたリレーソフトウェア記憶手段とリレーソフトウェア記憶手段に記憶されたリレーソフトウェアに基づいて保護継電動作を行う中央処理装置とを有する保護継電装置本体、及び保護継電装置本体に関する情報の表示を実行するためのものであってリレーソフトウェアにそれぞれ対応する画面ソフトウェアを記憶する画面ソフトウェア記憶手段とリレーソフトウェア記憶手段に記憶されたリレーソフトウェアに応じて画面ソフトウェア記憶手段に記憶された画面ソフトウェアのうちの一を選んで当該選んだ画面ソフトウェアに従って画面表示の制御を行う画面表示制御手段と有する画面表示制御装置を備えたので、画面ソフトウェア記憶手段に予め必要な複数の画面ソフトウェアをロードしておき、リレーソフトウェア記憶手段に記憶されたリレーソフトウェアに応じて画面ソフトウェアのうちの一を選び、当該選んだ画面ソフトウェアに従って画面表示の制御を行うことができるので、機種変更の都度、画面ソフトウェアを画面ソフトウェア記憶手段にロードする手間を省くことができる。また、誤って異なる画面ソフトウェアをロードしたり、画面ソフトウェアをロードし忘れたりする人的ミスを防止することができる。
【発明を実施するための最良の形態】
【０００９】
実施の形態１．
図１及び図２は、この発明の実施の一形態を示すものであり、図１は保護リレー装置の構成図、図２は動作を示すフローチャートである。図１において、保護リレー装置１２は、画面表示制御装置としての画面用カード１４とリレー装置本体としてのリレーＣＰＵカード１６を有する。画面用カード１４は、画面表示制御手段としての画面切換手段１４１及び識別値確認手段１４２と、画面ソフトウェア記憶手段１４５を有する。画面ソフトウェア記憶手段１４５には、予め保護リレー装置が対応可能な機種についての内部表示情報を画面表示するための複数の画面ソフトウェアがロードされている。
【００１０】
リレーＣＰＵカード１６は、ＣＰＵ（中央演算装置）１６１とリレーソフトウェア記憶手段１６２と識別値記憶手段１６５を有する。リレーソフトウェア記憶手段１６２には、保護継電動作を行うためのリレーソフトウェア、例えば機種Ａ，Ｂ，Ｃ，・・・として動作するためのリレーソフトウェアＡ，Ｂ，Ｃ，・・・のうちの一つがロードされている。識別値記憶手段１６５には、ロードされたリレーソフトウェアＡ，Ｂ，Ｃ，・・・に対応する識別値情報として識別値Ａ，Ｂ，Ｃ，・・・のうちの一つが記憶されている。汎用ブラウザが搭載されたパーソナルコンピュータ１１が、必要に応じてネットワークを介して保護リレー装置１２の画面用カード１４に接続されている。
【００１１】
このような保護リレー装置１２において、機種Ａから機種Ｂに変更する場合、まずリレーソフトウェア記憶手段１６２にリレーソフトウェアＢをロードする。ＣＰＵ１６１はロードされたリレーソフトウェアＢに従って保護継電動作をする。また、リレーソフトウェアＢがロードされると、識別値記憶手段１６５に当該リレーソフトウェアの識別情報として識別値Ｂが記憶される。ここで、リレーソフトウェア記憶手段１６２にロードされたリレーソフトウェアの内部表示情報を表示させるためにパーソナルコンピュータ１１を画面用カード１４に接続する。
【００１２】
これ以降の動作を、図２のフローチャートにより説明する。
ステップＳ１１において、識別値確認手段１４２は、パーソナルコンピュータ１１が画面用カード１４に接続されているかどうかを判断し、接続されていなければそのまま待ち、接続されていればステップＳ１２において識別値記憶手段１６５に記憶された識別値Ｂを取得する。ステップＳ１３において、取得した識別値に変更があるかか否か判定する。変更があれば（この場合識別値がＡからＢに変更されているので、変更がある）、ステップＳ１４において画面切換手段１４１が画面ソフトウェア記憶手段１４５に予め記憶されている画面ソフトウェアの中から当該識別値Ｂに対応する画面ソフトウェア（Ｓ／Ｗ）ＳＢを選んで起動し、ステップＳ１５へ行く。
【００１３】
また、ステップＳ１３において、識別値に変更がなければ、すなわち識別値が前に取得した識別値がＢで、今回取得した識別値もＢであれば、ステップＳ１５へ行く。ステップＳ１５において、画面切換手段１４１は起動された上記画面ソフトウェアに基づいてリレーＣＰＵカード１６から内部表示情報を取得し、パーソナルコンピュータ１１に送信する。ステップＳ１６において、パーソナルコンピュータ１１は受け取ったデータに基づき、リレーＣＰＵカード１６の内部表示情報を画面に表示する。
【００１４】
以上のように、この実施の形態によれば、複数のリレーソフトウェアのうちの一つから他の一つに入れ換えて記憶しうるようにされたリレーソフトウェア記憶手段１６２とリレーソフトウェア記憶手段１６２に記憶されたリレーソフトウェアに基づいて保護継電動作を行う中央処理装置１６１とを有する保護継電装置本体１６、及び保護継電装置本体１６に関する情報の表示を実行するためのものであってリレーソフトウェアにそれぞれ対応する画面ソフトウェアを記憶する画面ソフトウェア記憶手段１４５とリレーソフトウェア記憶手段に記憶されたリレーソフトウェアに応じて画面ソフトウェア記憶手段１５４に記憶された画面ソフトウェアのうちの一を選んで当該選んだ画面ソフトウェアに従って画面表示の制御を行う画面表示制御手段としての画面切換手段１４１及び識別値確認手段１４２を有する画面表示制御装置１２を備えた。
【００１５】
従って、画面ソフトウェア記憶手段１４５に予め必要な複数の画面ソフトウェアをロードしておき、リレーソフトウェア記憶手段１６２に記憶されたリレーソフトウェアに応じて画面ソフトウェアのうちの一を選び、当該選んだ画面ソフトウェアに従って画面表示の制御を行うことができるので、機種変更の都度、画面ソフトウェアを画面ソフトウェア記憶手段１４５にロードする手間を省くことができる。また、誤って異なる画面ソフトウェアをロードしたり画面ソフトウェアをロードし忘れたりする人的ミスを防止することができる。
【００１６】
実施の形態２．
図３〜図５は、この発明の他の実施の形態を示すものであり、図３は保護リレー装置の構成図、図４は画面表示の説明図、図５は保護リレー装置の動作を示すフローチャートである。図３において、保護リレー装置２２は画面用カード２４とリレーＣＰＵカード２６を有する。画面用カード２４は、画面切換手段１４１と画面ソフトウェア記憶手段１４５と識別値設定手段２４３と識別値選択手段２４４とを有する。なお、画面切換手段１４１と識別値設定手段２４３と識別値選択手段２４４とがこの発明における画面表示制御手段である。
【００１７】
画面ソフトウェア記憶手段１４５は、図１に示したものと同様のものであるが、リレーソフトウェアに対応させてかつ同じリレーソフトウェアについても必要に応じて異なる画面を表示できるように同じリレーソフトウェアに関する複数の画面ソフトウェアが予めロードされている。これについての詳細は、後述する。識別値設定手段２４３は、後述のパーソナルコンピュータ２１からの識別値設定指令を受けて、識別値を設定する。識別値選択手段２４４は、リレーＣＰＵカード２６に設けられた識別値記憶手段２６５の中から、識別値設定手段２４３に設定された設定値に一致するものを選ぶ。
【００１８】
リレーＣＰＵカード２６は、ＣＰＵ１６１とリレーソフトウェア記憶手段１６２と識別値記憶手段２６５とを有する。識別値記憶手段２６５には、リレーソフトウェア記憶手段１６２に記憶されるリレーソフトウェアに対応するとともに同じリレーソフトウェアでも必要に応じて異なる画面を表示できるようにするために同じリレーソフトウェアについて異なる画面に対応する複数の識別値が記憶されている。この詳細については、後述する。
【００１９】
識別値選択手段２４４は、識別値記憶手段１６５に記憶された複数の識別値のうちの一つを選ぶ。パーソナルコンピュータ２１には、汎用ブラウザが搭載され、識別値設定指令指令手段２１１を有する。その他の構成については、図１に示した実施の形態１と同様のものであるので、相当するものに同じ符号を付して説明を省略する。
【００２０】
ここで、画面ソフトウェア及び画面表示の詳細について説明する。画面ソフトウェア記憶手段１４５には、例えば機種Ａに対応する二つの画面ソフトウェアＧＡ１，ＧＡ２、機種Ｂに対応する三つの画面ソフトウェアＧＢ１，ＧＢ２，ＧＢ３、機種Ｃに対応する三つの画面ソフトウェアＧＣ１，ＧＣ２，ＧＣ３、・・・・のごとく、所定の数の画面ソフトウェアが記憶されている。そして、例えば機種Ｂについての三つの画面ソフトウェアＧＢ１，ＧＢ２，ＧＢ３による画面表示は、それぞれ図４（ａ）〜（ｃ）のごとくであるとする。
【００２１】
図４（ａ）において、画面ソフトウェアＧＢ１によって所定の表示項目が所定の形式で全体画面表示ＺＢ１中にゾーンｂ０，ｂ１，ｂ２の形で表示される。同様に、図４（ｂ）において画面ソフトウェアＧＢ２によって全体画面表示ＺＢ２中にゾーンｂ０、ｂ４，ｂ５の形で表示され、図４（ｃ）において、画面ソフトウェアＧＢ３によって全体画面表示ＺＢ３中にゾーンｂ７、ｂ８の形で表示される。
【００２２】
このような保護リレー装置において、機種Ａから機種Ｂに変更する場合、リレーソフトウェア記憶手段１６２にリレーソフトウェアＢをロードする。リレーソフトウェアＢがロードされると、識別値記憶手段１６５に当該リレーソフトウェアに対応する三つの識別値ＮＢ１，ＮＢ２、ＮＢ３が記憶される。ここで、パーソナルコンピュータ２１を画面用カード２４に接続し、識別値設定指令指令手段２１１により画面用カード２４の識別値設定手段２４３の設定値をＮＢ２に設定する。
【００２３】
これ以降の動作を、図５のフローチャートにより説明する。ステップＳ２１において、識別値選択手段２４４は、パーソナルコンピュータ２１が画面用カード２４に接続されているかどうかを判断し、接続されていなければそのまま待ち、接続されていればステップＳ２２において識別値設定手段２４３に設定されている設定値例えばＮＢ２を読み込む。ステップＳ２３において、識別値記憶手段１６５に記憶された識別値のうちの最初の識別値であるＮＢ１を取得し、ステップＳ２４において取得した識別値ＮＢ１と上記設定値ＮＢ２とが一致するかどうか調べる。
【００２４】
そして、設定値と一致しなければステップＳ２５へ行き、変数ｎを（ｎ＋１）に置き換え、ステップＳ２３に戻り、ステップＳ２４において（ｎ＋１）番目の識別値ＮＢ２を取得する。そして、再びステップＳ２４で取得した識別値ＮＢ２と上記設定値ＮＢ２とが一致するかどうか調べる。この場合、一致するので識別値ＮＢ２が選択され、次のステップＳ２６へ進む。ステップＳ２６において、画面切換手段１４１が画面ソフトウェア記憶手段１４５に予め記憶されている画面ソフトウェアの中から当該識別値に対応する画面ソフトウェアＧＢ２を選んで起動し、ステップＳ２７へ行く。
【００２５】
ステップＳ２７において、画面切換手段１４１は画面ソフトウェアＧＢ２に基づいてリレーＣＰＵカード２６から内部表示情報を取得し、パーソナルコンピュータ２１に送信する。ステップＳ２８において、パーソナルコンピュータ２１は受け取ったデータに基づき、リレーＣＰＵカード２６の内部表示情報を画面に表示する。この場合、画面表示は、先に説明した図４（ｂ）のごとくである。
【００２６】
以上のようにこの実施の形態によれば、記画面ソフトウェアを一つのリレーソフトウェアに対して複数設け、画面表示制御手段としての画面切換手段１４１と識別値設定手段２４３と識別値選択手段２４４が外部から指令を受けて一つのリレーソフトウェアに対して複数設けられた画面ソフトウェアのうちの一つを選択し選択された画面ソフトウェアに従って画面表示の制御を行うようにした。
【００２７】
従って、画面ソフトウェア記憶手段１４５に複数の画面ソフトウェアを予めロードしておき、パーソナルコンピュータ２１から識別値設定指令値を出して識別値設定手段２４３に設定値を設定し、識別値選択手段２４３に当該設定値と一致する識別値を選択させることができ、同じ機種のリレーソフトウェアについてもその内部表示情報の表示項目や表示形式などを任意に変更できるので、一つのリレーソフトウェアについても複数の画面表示の中から所望のものを表示させることができる。
【００２８】
実施の形態３．
図６は、さらにこの発明の他の実施の形態を示す保護リレー装置の構成図である。図６において、保護リレー装置３２は画面用カード２４とリレーＣＰＵカード２６とリレー用ネットワークカード３７を有する。通信装置としてのリレー用ネットワークカード３７は、外部からの信号を取り込むためのものである。その他の構成については、図１に示した実施の形態１あるいは図３に示した実施の形態２と同様のものであるので、相当するものに同じ符号を付して説明を省略する。
【００２９】
図３に示した実施の形態では、パーソナルコンピュータ２１により識別値設定手段２４３に設定値を設定するものを示した。これに対し、この実施の形態においては、リレー用ネットワークカード３７を経由して、外部から信号Ｓｇを画面用カード２４の識別値設定手段２４３へ送り、設定値を所望の設定値に変更する。これにより、当該設定値に対応する画面ソフトウェアを選択して、図３に示した実施の形態と同様に所望の表示項目や表示形式による画面がパーソナルコンピュータ１１に表示される。
【００３０】
以上のようにこの実施の形態によれば、画面ソフトウェア記憶手段１４５に複数の画面ソフトウェアを予めロードしておき、かつ、外部からリレー用ネットワークカード３７を介して信号Ｓｇを送り識別値設定手段２４３に所望の識別値を設定するようにした。これにより、同じ機種のリレーソフトウェアについてもその内部表示情報の表示項目や表示形式などを外部信号により任意に変更できるので、一つのリレーソフトウェアについても複数の画面表示の中から所望のものを表示させることができる。
【図面の簡単な説明】
【００３１】
【図１】この発明の実施の一形態である保護リレー装置の構成図である。
【図２】図１の保護リレー装置の動作を示すフローチャートである。
【図３】この発明の他の実施の形態である保護リレー装置の構成図である。
【図４】図３の保護リレー装置における画面表示の説明図である。
【図５】図３の保護リレー装置の動作を示すフローチャートである。
【図６】さらに、この発明の他の実施の形態である保護リレー装置の構成図である。
【符号の説明】
【００３２】
１１，２１  パーソナルコンピュータ、
１２，２２，３２  保護リレー装置、１４，２４  画面用カード、
１４１  画面切換手段、１４２  識別値確認手段、
１６，２６  リレーＣＰＵカード、１６１  ＣＰＵ、
１６２  リレーソフトウェア記憶手段、１６５，２６５  識別値記憶手段、
２４３  識別値設定手段、２４４  識別値選択手段、
３７  リレー用ネットワークカード。
【図１】
2005045907.tif 000003
【図２】
2005045907.tif 000004
【図３】
2005045907.tif 000005
【図４】
2005045907.tif 000006
【図５】
2005045907.tif 000007
【図６】
2005045907.tif 000008